(57)【要約】【課題】装飾品を基本パーツ及び部位パーツにパーツ化し、基本パーツの基本蝋模型を製作すると共に部位パーツを各種の金属により製作し、基本蝋模型及び部位パーツを一体化し、この一体化蝋模型を用いて部位パーツが残存した鋳型を製作し、この部位パーツが残存した鋳型を用いてロストワックス鋳造にすることにより基本パーツと部位パーツとが結合された装飾品を製造することができ、装飾品の製造を容易に行うことができる。【解決手段】装飾品Ｗを基本パーツ１及び部位パーツ２にパーツ化し、基本パーツの基本蝋模型Ｅを製作すると共に部位パーツを各種の金属により製作し、基本蝋模型及び部位パーツを一体化し、一体化蝋模型Ｆを用いて部位パーツが残存した鋳型Ｋを製作し、部位パーツが残存した鋳型を用いてロストワックス鋳造することにより基本パーツと部位パーツとを結合する。【選択図】図１
2005323776.tif 000002
【特許請求の範囲】
【請求項１】
ロストワックス鋳造により金属製の装飾品を製造するに際し、上記装飾品を基本パーツ及び部位パーツにパーツ化し、該基本パーツの基本蝋模型を製作すると共に該部位パーツを各種の金属により製作し、該基本蝋模型及び該部位パーツを一体化し、該一体化蝋模型を用いて該部位パーツが残存した鋳型を製作し、該部位パーツが残存した鋳型を用いてロストワックス鋳造することにより基本パーツと部位パーツとを結合することを特徴とする装飾品の製造方法。
【請求項２】
上記基本パーツの基本蝋模型と上記部位パーツとを互いに係合するための第一の係合部を設けてなることを特徴とする請求項１記載の装飾品の製造方法。
【請求項３】
上記部位パーツと上記鋳型とを互いに係合するための第二の係合部を設けてなることを特徴とする請求項１又は２記載の装飾品の製造方法。
【発明の詳細な説明】
【技術分野】
【０００１】
本発明は、例えば指輪、ブレスレット、ペンダント、ピアス、イヤリング、その他のアクセサリーなどの金属製の装飾品を製造する際に用いられる装飾品の製造方法に関するものである。
【背景技術】
【０００２】
従来この種の装飾品の製造方法として、鋳型の製作に蝋を用いた、いわゆるロストワックス法を用いた方法が知られている。
【０００３】
このロストワックス鋳造は形状が複雑で加工工数が大となるものの従来手細工しかできないようなものも量産が可能となるという大きな利点がある。
【０００４】
この際、装飾品の精細度を出して付加価値を高めたり、素材感、金属色のコントラストを表現したりするため、装飾品を各部分にパーツ化し、パーツ化した同種又は異種の金属からなるパーツをろう材を用いて互いにろう付け手段により結合するようにしている。
【特許文献１】特開２００２−２６３７８４
【発明の開示】
【発明が解決しようとする課題】
【０００５】
しかしながら、上記装飾品の製造において、各パーツをろう付け手段により結合するため、ろう付け部分に境目が現出して商品価値を低下させることがあり、また、ろう付けできない金属もあって、各種金属使用の制約を受けたり、また、ろう付けによりパーツを高温加熱するため研磨作業が面倒となるという不都合を有している。
【課題を解決するための手段】
【０００６】
本発明はこれらの不都合を解決することを目的とするもので、本発明のうちで、請求項１記載の発明は、ロストワックス鋳造により金属製の装飾品を製造するに際し、上記装飾品を基本パーツ及び部位パーツにパーツ化し、該基本パーツの基本蝋模型を製作すると共に該部位パーツを各種の金属により製作し、該基本蝋模型及び該部位パーツを一体化し、該一体化蝋模型を用いて該部位パーツが残存した鋳型を製作し、該部位パーツが残存した鋳型を用いてロストワックス鋳造することにより基本パーツと部位パーツとを結合することを特徴とする装飾品の製造方法にある。
【０００７】
又、請求項２記載の発明は、上記基本パーツの基本蝋模型と上記部位パーツとを互いに係合するための第一の係合部を設けてなることを特徴とするものであり、又、請求項３記載の発明は、上記部位パーツと上記鋳型とを互いに係合するための第二の係合部を設けてなることを特徴とするものである。
【発明の効果】
【０００８】
本発明は上述の如く、請求項１記載の発明にあっては、ロストワックス鋳造により金属製の装飾品を製造するに際し、上記装飾品を基本パーツ及び部位パーツにパーツ化し、基本パーツの基本蝋模型を製作すると共に部位パーツを各種の金属により製作し、基本蝋模型及び部位パーツを一体化し、この一体化蝋模型を用いて部位パーツが残存した鋳型を製作し、この部位パーツが残存した鋳型を用いてロストワックス鋳造にすることにより基本パーツと部位パーツとが結合された装飾品を製造することができ、このため、パーツのろう付けを無くすことができ、装飾品の製造を容易に行うことができ、又、基本パーツ及び部位パーツとの結合部分がきれいになり、商品価値を高めることができ、ろう付けできない金属も使用することができ、又、ろう付けに伴うパーツの高温加熱を回避することができ、研磨仕上作業を容易に行うことができ、従って、装飾品の精細度を高めたり、素材感、金属色のコントラストを容易に表現することができ、付加価値の高い装飾品を製造することができる。
【０００９】
又、請求項２記載の発明にあっては、上記基本パーツの基本蝋模型と上記部位パーツとを互いに係合するための第一の係合部を設けてなるから、基本蝋模型と上記部位パーツとの結合強度を高めることができ、鋳型の製作を容易に行うことができ、鋳込後は溶湯たる基本パーツと部位パーツとの結合強度を高めることができ、又、請求項３記載の発明にあっては、上記部位パーツと上記鋳型とを互いに係合するための第二の係合部を設けてなるから、部位パーツと上記鋳型との係合強度を高めることができ、ロストワックス鋳造を容易に行うことができる。
【発明を実施するための最良の形態】
【００１０】
図１乃至図１０は本発明の実施の形態例であって、装飾品Ｗとしての指輪の製造に適用したものである。
【００１１】
この場合、先ず、図１、図２の如く、上記製造すべき装飾品Ｗを基本パーツ１及び部位パーツ２にパーツ化し、このうち、図３の如く、基本パーツ１の基本蝋模型Ｅを製作すると共に部位パーツ２を各種の金属により切削加工、鋳造、鍛造等により製作する。
【００１２】
この場合、基本パーツ１の基本蝋模型Ｅの製作は、基本パーツ１の原型を用いてゴム加硫により原型の空洞のある基本パーツ１のゴム型を製作し、このゴム型により基本蝋模型Ｅを製作するようにしている。尚、この基本蝋模型Ｅの製作に際し、手作りやその他の製作方法により製作することもできる。
【００１３】
又、この場合、複数の基本蝋模型Ｅを製作すると共に複数の部位パーツ２を製作し、図４の如く、この複数の基本蝋模型Ｅと部位パーツ２とを一体化し、この基本蝋模型Ｅと部位パーツ２とが一体化した一体化蝋模型Ｆを用いてツリー状の一体化蝋型Ｇを製作し、図５の如く、このツリー状の一体化蝋型Ｇを石膏等の鋳型材Ｈにより被覆し、脱泡、脱蝋、焼成、硬化し、図６の如く、ツリー状の一体化蝋型Ｇの空洞Ｋ1をもつ鋳型Ｋを製作するようにしている。
【００１４】
この場合、図７、図８の如く、各基本蝋模型Ｅ及び各部位パーツ２を基本蝋模型Ｅに形成した凹部３ａ及び部位パーツ２に形成した凸部３ｂからなる第一の係合部３により一体化するように設けていると共に上記部位パーツ２と上記鋳型Ｋの鋳型材Ｈとを互いに係合するための、部位パーツ２に形成した逆円錐状の凸部４ａからなる第二の係合部４を設けている。
【００１５】
尚、第一の係合部３及び第二の係合部４の形態は上記実施例に限らず、図９の如く、基本蝋模型Ｅに形成した凹部３ｃ及び部位パーツ２に形成した凸部３ｄからなる第一の係合部３としたり、図１０に示す如く、基本蝋模型Ｅに形成した凹部３ｅ及び部位パーツ２に形成した凸部３ｆからなる第一の係合部３とすることもでき、その他の構造のものも適用することができる。
【００１６】
そして、図６の如く、この部位パーツ２が残存した鋳型Ｋを用いて空洞Ｋ1に溶湯を注湯してロストワックス鋳造することにより、溶湯たる基本パーツ１と予め鋳型Ｋに組み込まれた部位パーツ２とが結合されて一体化したツリー品を鋳造し、このツリー品から装飾品Ｗの半製品を分離すると共に仕上加工を施し、図１に示すような装飾品Ｗを製造することになる。
【００１７】
この基本パーツ１と部位パーツの金属の材質の組み合わせとしては、例えば、Ａｇ、Ａｕ、ステンレス、チタン、Ｐｔ等の同種金属又は異種の金属の組み合わせが用いられる。
【００１８】
この実施の形態例は上記構成であるから、ロストワックス鋳造により金属製の装飾品Ｗを製造するに際し、上記装飾品Ｗを基本パーツ１及び部位パーツ２にパーツ化し、基本パーツ１の基本蝋模型Ｅを製作すると共に部位パーツ２を各種の金属により製作し、基本蝋模型Ｅ及び部位パーツ２を一体化し、この一体化蝋模型Ｆを用いて部位パーツ２が残存した鋳型Ｋを製作し、この部位パーツ２が残存した鋳型Ｋを用いてロストワックス鋳造することにより基本パーツ２と部位パーツ２とが結合された装飾品Ｗを製造することができ、このため、パーツのろう付けを無くすことができ、装飾品Ｗの製造を容易に行うことができ、又、基本パーツ１及び部位パーツ２との結合部分がきれいになり、商品価値を高めることができ、ろう付けできない金属も使用することができ、又、ろう付けに伴うパーツの高温加熱を回避することができ、研磨仕上作業を容易に行うことができ、従って、装飾品Ｗの精細度を高めたり、素材感、金属色のコントラストを容易に表現することができ、付加価値の高い装飾品Ｗを製造することができる。
【００１９】
又、この場合、上記基本パーツ１の基本蝋模型Ｅと上記部位パーツ２とを互いに係合するための第一の係合部３を設けてなるから、基本蝋模型Ｅと上記部位パーツ２との結合強度を高めることができ、鋳型Ｋの製作を容易に行うことができ、鋳込後は溶湯たる基本パーツ１と部位パーツ２との結合強度を高めることができ、又、この場合、上記部位パーツ２と上記鋳型Ｋとを互いに係合するための第二の係合部４を設けてなるから、上記部位パーツ２と上記鋳型Ｋの鋳型材Ｈとの係合強度を高めることができ、それだけ、ロストワックス鋳造を容易に行うことができる。
【００２０】
尚、本発明は上記実施の形態例に限られるものではなく、装飾品Ｗとしては、指輪、ブレスレット、ペンダント、ピアス、イヤリングなどの金属製の装飾品Ｗに適用することができ、又、部位パーツ２として、単一に限らず複数個の部位パーツ２とすることもでき、適宜設計して変更される。
【００２１】
以上、所期の目的を充分達成することができる。
【図面の簡単な説明】
【００２２】
【図１】本発明の実施の形態例の装飾品の斜視図である。
【図２】本発明の実施の形態例のパーツ化した斜視図である。
【図３】本発明の実施の形態例の基本蝋模型の斜視図である。
【図４】本発明の実施の形態例の一体化蝋型の正面図である。
【図５】本発明の実施の形態例の鋳型製作工程図である。
【図６】本発明の実施の形態例の鋳型の断面図である。
【図７】本発明の実施の形態例の部分説明斜視図である。
【図８】本発明の実施の形態例の部分説明断面図である。
【図９】本発明の他の実施の形態例の部分説明断面図である。
【図１０】本発明の他の実施の形態例の部分説明断面図である。
【符号の説明】
【００２３】
Ｗ    装飾品
Ｅ    基本蝋模型
Ｆ    一体化蝋模型
Ｇ    一体化蝋型
Ｈ    鋳型材
Ｋ    鋳型
１    基本パーツ
２    部位パーツ
３    第一の係合部
４    第二の係合部
【図１】
2005323776.tif 000003
【図２】
2005323776.tif 000004
【図３】
2005323776.tif 000005
【図４】
2005323776.tif 000006
【図５】
2005323776.tif 000007
【図６】
2005323776.tif 000008
【図７】
2005323776.tif 000009
【図８】
2005323776.tif 000010
【図９】
2005323776.tif 000011
【図１０】
2005323776.tif 000012